(57)【要約】【課題】身に付けが簡単で抵抗感なく素早く行えると共に、物品への取付けも簡単に素早く行える非接触型データ送受信装置の提供。【解決手段】非接触型データ送受信装置は、ＩＣチップ２を埋め込んだチップ収納部３と、このチップ収納部３の取付け部４とを備える。取付け部４は、例えば、線材５を用いて内周部分と外周部分とで狭持するクリップ状に構成する。そして、特別な取付け具を必要とせずに容易で素早い取付けや取外しが行えるようにし、非接触型データ送受信装置１が、容易に身に付けられると共に、旅行カバンや本などの物品にも容易に取付けられるようにする。しかも、取付け部４の線材５をＩＣチップ２に接続し補助アンテナ７として電磁波送受信性能を向上させることにより、チップ収納部３をリーダライタにかざすことが特に必要のないシステムにできることから、非接触型データ送受信装置１を手軽に使用できるようにする。【選択図】    図１
2005025649.tif 000002
【特許請求の範囲】
【請求項１】
電磁波の送受信によってデータのやり取りや電力の供給を行うＩＣチップが用いられている非接触型のデータ送受信装置であり、前記ＩＣチップを埋め込んだチップ収納部と、このチップ収納部の取付け部とを備えていることを特徴とする非接触型データ送受信装置。
【請求項２】
前記チップ収納部の取付け部は、チップ収納部の周囲に内周部分および外周部分が形成されるようにして配設する線材を、その内周部分と外周部分とにより狭持できるクリップ状に形成し、前記内周部分にチップ収納部を設けることで構成していることを特徴とする請求項１記載の非接触型データ送受信装置。
【請求項３】
前記チップ収納部の取付け部は、前記線材の内周部分および前記チップ収納部を挿入した合成樹脂製サックと、前記線材の外周部分とからなり、前記合成樹脂製サックと外周部分とで狭持するクリップ状に構成していることを特徴とする請求項１、２記載の非接触型データ送受信装置。
【請求項４】
前記線材は前記ＩＣチップに接続した補助アンテナで構成していると共に、前記合成樹脂製サックは前記チップ収納部の周囲で前記補助アンテナが互いに接触しないように保持していることを特徴とする請求項１、２、３記載の非接触型データ送受信装置。
【請求項５】
前記線材は前記ＩＣチップに接続した補助アンテナで構成していると共に、合成樹脂で被覆していることを特徴とする請求項１、２記載の非接触型データ送受信装置。
【請求項６】
前記チップ収納部の取付け部は、チップ収納部の周囲に内周部分および外周部分が形成されるようにして配設する線材と、この線材の内周部分を内部に挿入していると共に、チップ収納部を内部に設けている合成樹脂製サックとからなり、前記合成樹脂製サックと前記線材の外周部分とで狭持するクリップ状に構成していることを特徴とする請求項１記載の非接触型データ送受信装置。
【請求項７】
前記チップ収納部は、その表面を表記部または装飾部としていることを特徴とする請求項１または２記載の非接触型データ送受信装置。
【請求項８】
前記合成樹脂製サックは、前記線材または補助アンテナとは反対側の表面を表記部または装飾部としていることを特徴とする請求項１、３、５、６記載の非接触型データ送受信装置。
【発明の詳細な説明】
【発明の属する技術分野】
この発明は、例えば、入退室の管理などに用いる非接触型のデータ送受信装置に関するものである。
【従来の技術】
非接触型のデータ送受信装置としては、電磁波を送受信するコイル状のアンテナと、このアンテナに接続されて電磁波によるデータのやり取りや電力の供給が行われるＩＣチップとをプラスチック板に埋め込んでいる、所謂、ＩＣカードが知られている。
【特許文献】
特開平１１−３０６３１０号公報
【発明が解決しようとする課題】
前述した従来の一般的なＩＣカード（非接触型データ送受信装置）は、例えば、入退室の管理などに用いる場合、非接触型であっても、カード所持者が取出してリーダライタにかざす必要がある。
このようなＩＣカードを取出してリーダライタにかざす作業は、社員や研究員などのようにＩＣカードを常時使用している者であれば問題なく行えるが、例えば、来訪者のように来訪時にだけ使用するような者には面倒な作業であった。
この取出してかざすという作業は、例えば、ＩＤパスのように、ＩＣカードを衣服の胸ポケットなどに取付けて身に付けられるようにすれば、取出すという部分を無くして省略化することはできる。
しかし、ＩＣカードを身に付けられるようにするには、例えば、胸ポケットへの取付けや首に回しての取付けが行えるようにする特別な取付け具が必要になってしまう。
また、この特別な取付け具は一般的に取付けや取外しが素早く行えないものであり、このことは、前述した来訪者のように入室時に身に付けて使用し退室時に取外して返却するような場合に、その来訪者に煩わしい思いをさせてしまうことになる。
しかも、女性や着物を着用している人には、比較的大きくて衣服とは異質なＩＣカードを身に付けるには抵抗感があるとも考えられる。女性は一般的にハンドバックを持ち歩いているので、そのハンドバックにＩＣカードを取付けるようなことも考えられるが、この場合も、特別な取付け具が必要になってしまうと共に、やはり抵抗感がある。
一方、前述した従来の一般的なＩＣカード（非接触型データ送受信装置）は、前述したように人の管理には向いているが、旅行カバンや本などの物品への取付けが困難であるなどから、物品の管理に流用することには問題があった。
この発明は前述した事情に鑑みて創案されたもので、その目的は衣服やハンドバックなどへの身に付けや取外しが容易で抵抗感なく素早く行えると共に、物品への取付けや取外しも簡単に素早く行うことができて、手軽に使用することのできる非接触型データ送受信装置の提供にある。
【課題を解決するための手段】
この発明での非接触型データ送受信装置は、請求項１の発明のように、電磁波の送受信によってデータのやり取りや電力の供給を行うＩＣチップが埋め込まれているチップ収納部と、このチップ収納部の取付け部とを備えている。
また、この発明での取付け部は、例えば、請求項２の発明のように、チップ収納部の周囲に内周部分および外周部分が形成されるようにして配設する線材を、その外周部分と内周部分とにより狭持できるクリップ状に形成し、内周部分にチップ収納部を設けることで構成している。
このようなこの発明によれば、チップ収納部の取付け部を備えていることにより、例えば、線材の外周部分と内周部分とで狭持するクリップ状（ゼムクリップ状）に構成した取付け部を備えていることにより、非接触型データ送受信装置を衣服の胸ポケットや襟などに容易に取付けられるようにしている。
即ち、この発明によれば、チップ収納部の取付け部（例えば、線材を用いてクリップ状に構成した取付け部）を備えることにより、特別な取付け具を用意する必要がなく、非接触型データ送受信装置を容易に素早く身に付けることができるようになる。
なお、この発明のクリップ状に構成した取付け部により、特に女性が持ち歩いているハンドバックなどにも簡単に取付けられるので、このことからも非接触型データ送受信装置を容易に身に付けられるようになる。
逆に、クリップ状に構成した取付け部により、衣服やハンドバックなどからの取外しも簡単に素早く行うことができる。
また、請求項４や請求項５の発明のように、線材をＩＣチップに接続した補助アンテナで構成することにより、チップ収納部（ＩＣチップ）における電磁波の送受信性能を向上させることができるので、チップ収納部をリーダライタにかざすことが特に必要のないシステムにすることができる。
これらのことから、例えば、非接触型データ送受信装置を入退室の管理に用いる場合、来訪者のように来訪時にだけ使用するような者でも、非接触型データ送受信装置を手軽に使用できるようになり、入退室の管理を簡単で確実なものにできる。
なお、電磁波の送受信性能を上げる補助アンテナによって小型化したチップ収納部を用いることができることと、例えば、請求項７および請求項８の発明のように、線材（補助アンテナ）の内周部に設ける合成樹脂製サックの表面およびチップ収納部の表面を装飾部とすることにより、非接触型データ送受信装置を衣服やハンドバックへ取付けることに対する抵抗感を少なくすることができる。
一方、この発明の非接触型データ送受信装置は、線材（補助アンテナ）を用いてクリップ状に構成した取付け部により、旅行カバンや本などの物品に対しても簡単に取付けや取外しが行えるので、前述した補助アンテナでチップ収納部（ＩＣチップ）における電磁波の送受信性能を向上させることができることと共に、物品の管理にも用いることができるようになる。
【発明の実施の形態】
以下、この発明の非接触型データ送受信装置を図示する実施形態によって説明する。
この発明での非接触型データ送受信装置１は、図１に示すように、電磁波の送受信によってデータのやり取りや電力の供給が行われるＩＣチップ２（図２参照）を埋め込んだチップ収納部３と、このチップ収納部３の取付け部４とを備えている（請求項１の発明）。
図１はこの発明の非接触型データ送受信装置における最良と思われる実施形態を示すものであり、主要な構成としては、請求項１の発明の構成に、請求項２、３、４の発明の構成を付加したものである。
即ち、この実施形態での取付け部４は、合成樹脂製サック６（図３参照）と、補助アンテナ７とした線材５の外周部分５ｂ（図２参照）とからなり、その合成樹脂製サック６と外周部分５ｂとで狭持するクリップ状に構成している。
詳述すると、この実施形態におけるチップ収納部３の取付け部４は、チップ収納部３の周囲に内周部分５ａおよび外周部分５ｂが形成されるようにして配設する線材５を、その内周部分５ａと外周部分５ｂとにより狭持できるクリップ状に形成し、内周部分５ａにチップ収納部３を設けることで構成している（請求項２の発明）。
しかも、この実施形態におけるチップ収納部３の取付け部４は、線材５の内周部分５ａおよび内周部分５ａに設けたチップ収納部３を挿入した合成樹脂製サック６と、線材５の外周部分５ｂとからなり、合成樹脂製サック６と外周部分５ｂとで狭持するクリップ状に構成している（請求項３の発明）。
この実施形態での線材５はＩＣチップ２に接続した補助アンテナ７で構成していると共に、この実施形態での合成樹脂製サック６はチップ収納部３の周囲で補助アンテナ７が互いに接触しないように保持している（請求項４の発明）。
この実施形態での補助アンテナ７は、チップ収納部３から外部へ出た後に再びチップ収納部３へ戻るように延びると共に、チップ収納部３の左右両側で対称となるようにチップ収納部３の上下方向に折れ曲がりながらチップ収納部３の左右両側に広がる方向へ延びて、内周部分５ａおよび外周部分５ｂをを有するように形成している。
この補助アンテナ７のチップ収納部３周囲への配設は、チップ収納部３の一端から外部へ直線状に延び、チップ収納部３から離れた位置で、チップ収納部３の側に小さな円弧を描いて折曲し、チップ収納部３の近傍まで直線状に延びると共に、チップ収納部３の近傍で再び小さな円弧を描いて折曲し、チップ収納部３の一端側へ直線状に延び、チップ収納部３から離れた位置で、チップ収納部３の側に大きな円弧を描いて折曲するようにして行われている。
そして、このような補助アンテナ７の配設形態をチップ収納部３の左右両側で対称となるようにすることにより、チップ収納部３から外部へ出た後に再びチップ収納部３へ戻るように延びる状態となる。また、チップ収納部３から離れた位置における左右二個の小さな円弧の部分が内周部分５ａになると共に、チップ収納部３から離れた位置における大きな円弧の部分が外周部分５ｂになる。
この実施形態での合成樹脂製サック６にはチップ収納部３や補助アンテナ７の挿入用である空間部６ａが形成されていると共に、その空間部６ａには補助アンテナ７が互いに接触しないようにする仕切り壁６ｂ（図１の（ｃ）参照）が設けられている。
この実施形態での合成樹脂製サック６の空間部６ａ内には、合成樹脂製サック６の長手方向の一端側にチップ収納部３が位置していると共に、合成樹脂製サック６の長手方向の他端側に延びる状態（チップ収納部３の一端から外部へ延びる状態）で補助アンテナ７が位置している。
この実施形態での合成樹脂製サック６の長手方向の一端は、補助アンテナ７のチップ収納部３から離れた位置における大きな円弧に沿うような円弧状に形成されている。
この実施形態での合成樹脂製サック６は、その補助アンテナ７とは反対側の表面を表記部または装飾部８としている（請求項８の発明）。
この表記部や装飾部８としては、例えば、図４に示すように、合成樹脂製サック６の表面に透明のポケット９を設けると共に、このポケットに写真や個人データ等の情報を記したカード１０を挿入することで表記部８とすることが考えられる。このカード１０に装飾を施せば、ポケット９とで装飾部８とすることができる。
なお、この表記部や装飾部８としては、ポケット９やカード１０を用いるものに限らず、カード１０自体を合成樹脂製サック６の表面に貼り付けるものや、合成樹脂製サック６の表面に直接記載する等、種々の構成が考えられる。
例えば、合成樹脂製サック６の表面に表記部や装飾部８として直接記載しても、合成樹脂製サック６がチップ収納部３および補助アンテナ７とは全くの別部材（図３参照）であると共に、空間部６ａへの挿入または空間部６ａからの引き抜きによって合成樹脂製サック６を容易に着脱できることから、合成樹脂製サック６を取り換えることで種々の形態に問題なく対処できる。
なお、カード１０に香料を染み込ませてポケット９に挿入することにより、合成樹脂製サック６（チップ収納部３）を身に付けることで香りを付加できるようになる。このように、合成樹脂製サック６は種々の利用方法がある。
この実施形態では、補助アンテナ７のチップ収納部３から離れた位置における大きな円弧の部分（補助アンテナ７の外周部分５ｂ）と、合成樹脂製サック６の長手方向の一端とが互いに反対方向へ反っており、補助アンテナ７の外周部分５ｂと合成樹脂製サック６とでの狭持が容易に行えるようにしている。
この補助アンテナ７としては、合成樹脂製サック６とでクリップ状に狭持できる強度や弾性力のあると共に、アンテナとしての通電性がある材料を用いる。
このような構成からなる非接触型データ送受信装置１は、補助アンテナ７（線材５）の内周部分５ａに設ける合成樹脂製サック６と、補助アンテナ７（線材５）の外周部分５ｂとからなり、合成樹脂製サック６と外周部分５ｂとで狭持するクリップ状に構成した取付け部４によって、衣服の胸ポケット１１（図８参照）や襟１２（図９参照）などに容易に取付けることができる。
また、取付け部４の合成樹脂製サック６によって強度が確保できるので、非接触型データ送受信装置１を衣服の胸ポケット１１や襟１２などに容易かつ確実に取付けることができる。
即ち、この発明によれば、チップ収納部３の取付け部４（合成樹脂製サック６および補助アンテナ７を用いてクリップ状に構成した取付け部４）を備えていることにより、特別な取付け具などを用意する必要がなく、非接触型データ送受信装置１を容易に素早く確実に身に付けることができるようになる。
また、このクリップ状に構成した取付け部４により、特に女性が持ち歩いているハンドバック１３（図１０参照）などにも簡単に取付けられるので、このことからも非接触型データ送受信装置１を容易に身に付けられるようになる。逆に、この取付け部４により、衣服やハンドバックなどからの取外しも容易に素早く行うことができる。
さらに、補助アンテナ７によって、チップ収納部３（ＩＣチップ２）における電磁波の送受信性能を向上させることができるので、チップ収納部３をリーダライタ（図示せず）にかざすことが特に必要のないシステムにすることができる。
しかも、取付け部４とする補助アンテナ７は、チップ収納部３の上下方向に折れ曲がりながらチップ収納部３の左右両側に広がる方向へ延びることで、チップ収納部３の周囲という狭い範囲での配設でもその長さを確保できる。この補助アンテナ７の長さを確保できることは、チップ収納部３（ＩＣチップ２）における電磁波の送受信性能をより向上させることができる。
これらのことから、例えば、非接触型データ送受信装置１を入退室の管理に用いる場合、来訪者のように来訪時にだけ使用するような者でも、非接触型データ送受信装置１を手軽に使用できるようになり、入退室の管理を簡単で確実なものにできる。
なお、チップ収納部３（ＩＣチップ２）における電磁波の送受信性能を上げる補助アンテナ７で、小型化したチップ収納部３を用いることができることと、例えば、請求項７や請求項８の発明のように、補助アンテナ７の内周部分５ａに設ける合成樹脂製サック６の表面およびチップ収納部３の表面を装飾部８にすることとで、非接触型データ送受信装置１を衣服やハンドバックへ取付けることに対する抵抗感を無くすことができる。
一方、この発明の非接触型データ送受信装置１は、補助アンテナ７を用いてクリップ状に構成した取付け部４により、特に図示しないが、旅行カバンや本などの物品に対しても簡単に取付けや取外しが行えるので、前述したチップ収納部３（ＩＣチップ２）における電磁波の送受信性能を向上させることができることと共に、物品の管理にも用いることができるようになる。
勿論、この発明の非接触型データ送受信装置１は、前述した入退室や物品の管理に用いる他に、補助アンテナ７を用いてクリップ状に構成した取付け部４により、取付け取外しが容易でチップ収納部３（ＩＣチップ２）における電磁波の送受信性能を向上できることを利用して、種々のシステムに用いることができる。
図５は、この発明の非接触型データ送受信装置１の別形態を示すものである。ここでは、補助アンテナ７がより長くなるようにしていると共に、合成樹脂製サック６を大きくしている。
即ち、この実施形態での補助アンテナ７は、チップ収納部３の上下方向に折れ曲がりながらチップ収納部３の左右両側に広がる方向へ延びている状態の折れ曲がり部分の数を多くして、より長くなるようにしている。
また、この実施形態での合成樹脂製サック６は、折れ曲がり部分の数を多くした補助アンテナ７の内周部分５ａを挿入できるように、大きく形成している。
このようにすると、補助アンテナ７をより長くすることができるので、チップ収納部３（ＩＣチップ２）における電磁波の送受信性能をより向上させることができる。そのため、この発明の非接触型データ送受信装置１の用途を広げることができる。
しかも、合成樹脂製サック６が大きいことから表記部または装飾部８とする表面の面積も広くなるので、この面積が広くなった合成樹脂製サック６の表面を表記部８として用いれば、写真や詳しい情報などを示すことができるようになり、例えば、ＩＤバスのような使い方ができるようになる。
図６は、この発明の非接触型データ送受信装置１の別形態を示すものである。ここでは補助アンテナ７のみで取付け部４を構成している。
即ち、チップ収納部３の取付け部４は、チップ収納部３の周囲に内周部分５ａおよび外周部分５ｂが形成されるようにして配設する線材５を、その内周部分５ａと外周部分５ｂとにより狭持できるクリップ状に形成し、内周部分５ａにチップ収納部３を設けることで構成している（請求項２の発明）。
そして、線材５はＩＣチップ２に接続した補助アンテナ７で構成していると共に、合成樹脂で被覆している（請求項５の発明）。
このようにすると、非接触型データ送受信装置１をチップ収納部３と補助アンテナ７とからなる極めて簡単な構成にすることができる。
また、取付け部４を外周部分５ｂと内周部分５ａとで狭持するゼムクリップ状にしていることから、例えば、図１１に示すように、胸ポケット１１などに容易に取付けることができる。
なお、この実施形態でのチップ収納部３は露出しているので、そのチップ収納部３の表面を表記部または装飾部８とすること（請求項７の発明）により、例えば、装飾部８とすればブローチのような身につけ方をすることができるようになり、非接触型データ送受信装置１の身に付けをより抵抗感のないものにできる。また、チップ収納部３を線材５の内周部分５ａに設ける形態は、図示した形態に限られるものでなく、種々の形態が考えられる。
さらに、この図６の構成は、図示しないが、線材５を補助アンテナ７として用いない場合も考えられる。
この線材５を補助アンテナ７として用いない場合、チップ収納部３の取付け部４は、「チップ収納部３の周囲に内周部分５ａおよび外周部分５ｂが形成されるようにして配設する線材５を、その内周部分５ａと外周部分５ｂとにより狭持できるクリップ状に形成し、内周部分５ａにチップ収納部３を設けることで構成している。」という「請求項２の発明」のみの構成となる。
図７は、この発明の非接触型データ送受信装置１の別形態を示すものである。ここでのチップ収納部３は、線材５（補助アンテナ７）の内周部分５ａではなく、合成樹脂製サック６に設けている。
即ち、チップ収納部３の取付け部４は、チップ収納部３を内部に設けている合成樹脂製サック６と、チップ収納部３の周囲に内周部分５ａおよび外周部分５ｂが形成されるようにして配設する線材５とからなり、線材５の内周部分５ａを内部に挿入した合成樹脂製サック６と、線材５の外周部分５ｂとで狭持するクリップ状に構成している（請求項６の発明）。
なお、特に図示していないが、この実施形態では、チップ収納部３を設ける部分と、線材５の内周部分５ａを挿入する空間部６ａとは、それぞれ別に形成されている。
このようにすると、チップ収納部３を設ける必要がないので、取付け部４としてチップ収納部３の周囲に配設される線材５は、内周部分５ａおよび外周部分５ｂが形成されるものならば、どのような形態でも良い。
例えば、図７に示すように折曲形成して、内周部分５ａおよび外周部分５ｂとで狭持するクリップ状（ゼムクリップ状）とした形態のものを用いることができる。
【発明の効果】
この発明によれば、ＩＣチップを埋め込んだチップ収納部と、このチップ収納部の取付け部とを備えている。この取付け部としては、例えば、チップ収納部の周囲に内周部分および外周部分が形成されるようにして配設する線材を、その外周部分と内周部分とにより狭持できるクリップ状に形成し、内周部分にチップ収納部を設けることで構成する。
そのため、特別な取付け具を用意する必要がなく、非接触型データ送受信装置を容易に素早く身に付けることができる。また、女性が持ち歩いているハンドバックなどにも簡単に取付けられるので、このことからも容易に身に付けられるようになる。逆に、衣服やハンドバックなどからの取外しも簡単に素早く行うことができる。
さらに、線材をチップ収納部内のＩＣチップに接続して補助アンテナとすることにより、チップ収納部（ＩＣチップ）における電磁波の送受信性能を向上させることができる。そのため、チップ収納部をリーダライタにかざすことが特に必要のないシステムにすることができる。
これらのことから、この発明によれば、例えば、非接触型データ送受信装置を入退室の管理に用いる場合、来訪者のように来訪時にだけ使用するような者でも、非接触型データ送受信装置を手軽に使用できるようになり、入退室の管理を簡単で確実なものにできる。
【図面の簡単な説明】
【図１】（ａ）はこの発明の非接触型データ送受信装置を示す概略図で、（ｂ）は（ａ）のＢ−Ｂ線矢視図で、（ｃ）は（ａ）のＡ−Ａ線断面図である。
【図２】（ａ）はこの発明の非接触型データ送受信装置におけるコイル状のアンテナとＩＣチップとを示す概略図で、（ｂ）は（ａ）のＣ−Ｃ線矢視図である。
【図３】（ａ）はこの発明の非接触型データ送受信装置における合成樹脂製サックを示す概略図で、（ｂ）は（ａ）のＤ−Ｄ線矢視図である。
【図４】この発明の非接触型データ送受信装置の表記部または装飾部を示す概略図である。
【図５】（ａ）はこの発明の非接触型データ送受信装置の別形態を示す概略図で、（ｂ）は（ａ）のＥ−Ｅ線断面図である。
【図６】（ａ）はこの発明の非接触型データ送受信装置の別形態を示す概略図で、（ｂ）は（ａ）のＦ−Ｆ線矢視図である。
【図７】この発明の非接触型データ送受信装置の別形態を示す概略図である。
【図８】この発明の非接触型データ送受信装置の使用状態を示す概略図である。
【図９】この発明の非接触型データ送受信装置の使用状態を示す概略図である。
【図１０】この発明の非接触型データ送受信装置の使用状態を示す概略図である。
【図１１】この発明の非接触型データ送受信装置の使用状態を示す概略図である。
【符号の説明】
１    非接触型データ送受信装置
２    ＩＣチップ
３    チップ収納部
４    取付け部
５    線材
５ａ  内周部分
５ｂ  外周部分
６    合成樹脂製サック
６ａ  空間部
６ｂ  仕切り壁
７    補助アンテナ
８    表記部または装飾部
９    ポケット
１０  カード
１１  胸ポケット
１２  襟
１３  ハンドバック
【図１】
2005025649.tif 000003
【図２】
2005025649.tif 000004
【図３】
2005025649.tif 000005
【図４】
2005025649.tif 000006
【図５】
2005025649.tif 000007
【図６】
2005025649.tif 000008
【図７】
2005025649.tif 000009
【図８】
2005025649.tif 000010
【図９】
2005025649.tif 000011
【図１０】
2005025649.tif 000012
【図１１】
2005025649.tif 000013